(57)【特許請求の範囲】
【請求項１】
ゴルフ場のグリーン上に載置するためのベースプレートと、前記ベースプレート上に載置されるマーカー本体とを備え、強磁性体からなる前記ベースプレート上面に開口された凹部内には磁石が埋設されるとともに前記マーカー本体は強磁性体からなる被吸着部を有し、前記マーカー本体は前記被吸着部を介して前記磁石に吸着されて前記ベースプレート上面に当接して起立状態でベースプレートに保持されることを特徴とするゴルフ用マーカーセット。
【請求項２】
前記マーカー本体の前記被吸着部は板状に構成され、前記ベースプレート上面に対して面同士で接して倒伏状態で前記被吸着部が前記磁石によって吸着されるとともに、前記ベースプレート上面に対して外周端面で接して前記被吸着部が前記磁石によって吸着され起立可能とされていることを特徴とする請求項１に記載のゴルフ用マーカーセット。
【請求項３】
前記マーカー本体の前記被吸着部は円板形状であり、その外周端面の周方向と直交する方向は直線状に構成され、かつ前記マーカー本体の面方向に対して直交していることを特徴とする請求項２に記載のゴルフ用マーカーセット。
【請求項４】
前記マーカー本体の表裏少なくとも一方は装飾面とされていることを特徴とする請求項２又は３に記載のゴルフ用マーカーセット。
【請求項５】
前記ベースプレートの上面は強磁性体ではないカバー部材によって覆われていることを特徴とする請求項１〜４のいずれかに記載のゴルフ用マーカーセット。
【請求項６】
前記カバー部材は装飾が施されていることを特徴とする請求項５に記載のゴルフ用マーカーセット。
【請求項７】
前記ベースプレートと前記マーカー本体の両方を磁力によって吸着して保持するための台座となる部材を有することを特徴とする請求項１〜６のいずれかに記載のゴルフ用マーカーセット。
【発明の詳細な説明】
【技術分野】
【０００１】
本発明は、ゴルフにおいてグリーン上にあるゴルフボールの位置をマークするためのゴルフ用マーカーセットに関するものである。
【背景技術】
【０００２】
従来から、ゴルフのルール上グリーン上ゴルフボールが停止した場合には、そのボールが次に打球するプレーヤーの邪魔にならないようにプレーヤーはゴルフボールに代わってその位置を示すためにマーカーを置くようにしている。一般にプレーヤーはマーカーを携帯し状況に応じてグリーン上の自分の打ったボールを一旦回収してボールのあった位置をマークするためにマーカーを仮置きする。一般にはマーカーとしてはコイン形状の円板を使用することが多いが、離れた位置やグリーンに起伏があったとしてもなるべくマーカーを目視できるように、近年ヒンジ部を設けてベースに対してマーカーを寝た状態から起立させるようにしたマーカーが提案されている。そのような例として特許文献１を挙げる。特許文献１ではマーカーとしての起立可能板５が蝶番８によって基板２から起立させられるようになっている。
【先行技術文献】
【特許文献】
【０００３】
【特許文献１】特開平１５−３９３８８号公報  図１
【発明の開示】
【発明が解決しようとする課題】
【０００４】
しかし、上記特許文献１のようなマーカーは外方に突出した蝶番８を有するため、携行する際や、グリーン上に落とした場合や、更に誤ってプレーヤーが踏んでしまった場合等に破損しやすく、また、構造も複雑で高コスト化する傾向にある。
そのため、マーカーを起立させることができ、なおかつ壊れにくく安価なゴルフ用マーカーセットが望まれていた。
【課題を解決するための手段】
【０００５】
上記目的を達成するために、手段１として、ゴルフ場のグリーン上に載置するためのベースプレートと、前記ベースプレート上に載置されるマーカー本体とを備え、前記ベースプレート内には磁石が埋設されるとともに前記マーカー本体は強磁性体からなる被吸着部を有し、前記マーカー本体は前記被吸着部を介して前記磁石に吸着されて前記ベースプレート上面に当接して起立状態でベースプレートに保持されるようにした。
このように機構的に連結させずに磁力によって吸着させるようにしたため、ユーザー（プレーヤー）はベースプレート上にマーカー本体を起立させることができ、例えばグリーン上でいわゆるライン取りをする際に比較的マーカー本体までの距離があったり、あるいはグリーンに起伏があったとしてもグリーン上のマーカー本体を目視しやすくなり、また、連結するために磁力を使っておりヒンジのような機構的な連結部分がないためシンプルに構成でき、そのため外力を受けても破損しにくい。
ここにベースプレートは板状、つまり扁平な外形形状を有する部材であり、必ずしも円板形状でなくとも楕円形、方形等様々な外形で構成することができる。素材は、後述するように砂鉄を拾わないために強磁性体の金属から構成することがよいが、強磁性体以外の金属やプラスチックやレジンや陶器のような焼結体から構成するようにしてもよい。そしてこれらの中に磁石が埋設されていればよいため、例えば磁石は当初からレジン材料に充填しておいてその後レジンを硬化させるようにしてもよく、材料を削って穴を空けてそこに磁石を埋設するようにしてもよい。また、磁石はベースプレートのどの位置にあってもよいが、なるべく上側であってベースプレートの中央位置にあることがよい。
ここに強磁性体とは、例えば鉄・コバルト・ニッケル及びそれらを主成分とする合金が挙げられる。
マーカー本体はその全体又は一部に強磁性体からなる被吸着部を有し、その被吸着部を介して磁石によって吸着されてベースプレート側に起立させることができるのであれば、形状は特に限定されない。例えば、以下手段３のようにコイン形状としてもよく、強磁性体ではない素材に例えばボルトのような強磁性体部材を連結してもよい。更に、強磁性体部材に他のユーザーの目標となるような目印を固定してもよい。
【０００６】
また、手段２として、前記マーカー本体は板状に構成され、前記ベースプレート上面に対して面同士で接して倒伏状態で前記被吸着部が前記磁石によって吸着されるとともに、前記ベースプレート上面に対して外周端面で接して前記被吸着部が前記磁石によって吸着され起立可能とされるようにした。
つまり、マーカー本体はそれ自体が倒れることでベースプレートと重ねられて寝た状態のマーカーとして機能し、起立することでより見やすい状態といずれの態様でも使用できるためユーザーは距離に応じていずれかの態様を選択することができる。マーカー本体をベースプレートから磁力に抗して切り離して単独で従来の地面（グリーン）上に寝かせるタイプのマーカーとして使用することができる。
また、手段３として、前記マーカー本体の前記被吸着部は円板形状であり、その外周端面の周方向と直交する方向は直線状に構成され、かつ前記マーカー本体の面方向に対して直交しているようにした。
つまり、マーカー本体をいわゆるコイン形状としたものである。このような形状であれば、どの位相位置でもベースプレート側の磁石に同じように吸着させることができる。また、当接部分が直線状で周方向においてどの位置でも均等である。このような構成であれば、起立させることにおいて周方向のどの位置でも起立させやすさは同じであるため、ユーザーが起立させる動作をする際に立てやすい方向を定めるなどの手間がいらず速やかに使用することができる。更に手段２と同様にマーカー本体をベースプレートから磁力に抗して切り離して単独で従来の地面（グリーン）上に寝かせるタイプのマーカーとして使用することができる。
【０００７】
また、手段４として、前記マーカー本体の表裏少なくとも一方は装飾面とするようにした。
これによって板状又は円板状のマーカー本体を起立させた場合に、ユーザーは装飾面を目視することができ、よりマーカー本体が視認しやすくなる。
【０００８】
また、手段５として、前記ベースプレートは強磁性体からなる収容部を有し、前記磁石は前記収容部上面に開口された凹部内に収容されているようにした。
このように構成すれば、磁石の磁力は強磁性体から構成された収容部によって磁束が遮蔽され、底面よりも下方には磁力が及びにくくなる。一方、収容部上面はそのような積極的な遮蔽を施しておらずマーカー本体側の強磁性体からなる被吸着部（マーカー本体自体を強磁性体から構成した場合も含む）が磁力によって吸着されることとなる。そのため、グリーン上に載置したベースプレートがグリーン上の砂鉄成分を磁力で拾ってしまうことが防止される。
ここに、収容部に収容される磁石は被吸着部との吸着性を向上させるためになるべく扁平で吸着面積が広いほうがよく、底面より下への漏れ磁束を少なくするために薄く構成し、かつ表面磁束密度の小さなフェライト磁石を使うことがよい。しかし、ネオジム磁石であってもフェライト磁石よりも相対的に小さなものを使用するのであればネオジム磁石を使用することもよい。
また、手段６として、前記ベースプレート自体を前記収容部とした。
これによって収容部の周囲を包囲するような加工が不要となり、ベースプレートの加工コストが下がり、ベースプレート全体を強磁性体からなる金属で構成することから強度も向上する。
【０００９】
また、手段７として、前記ベースプレートの上面は強磁性体ではないカバー部材によって覆われるようにした。
これによってベースプレートの上面に磁石がむき出しになることなく、ベースプレートの上面にマーカー本体側の被吸着部が磁石の磁力によって吸着される際にその吸着力が減衰されにくくなる。また、カバー部材が強磁性体ではないので磁力が減衰することもない。また、磁石がむき出しになると磁石の脱落や埋設位置からのズレが生じる可能性があるが、カバー部材によって覆われることでそのような不具合もなくなる。また、見た目もよくなる。カバー部材としては素材は強磁性体でなければ例えば金属であっても、あるいは例えば紙、ガラス、プラスチック、レジン（透明樹脂）等でもよい。カバー部材の厚みは厚くしすぎると磁力による吸着力が弱くなってしまうが、被吸着部が吸着されてマーカー本体が起立状態で保持可能な厚みであればその範囲で厚くすることはよい。
また、手段８として、前記カバー部材に装飾が施されているようにした。
ベースプレートの上面も目視され、また、このような目立つ形態とすることで単独でマーカーとしても使用可能となるからである。また、マーカー本体と組み合わせて使用する際にもマーカー本体の装飾と併せてよりマーカーとしてユーザーが視認しやすいという機能を発揮することができる。
【００１０】
また、手段９として、前記ベースプレートと前記マーカー本体の両方を磁力によって吸着して保持するための台座となる部材を有するようにした。
これによってベースプレートとマーカー本体は台座となる部材に磁力によって吸着して携行することができる。台座となる部材は例えばクリップを有して帽子やポケットの上縁などに取り付けられ、容易にベースプレート及びマーカー本体の着脱が可能であることがよい。
【発明の効果】
【００１１】
本発明によれば、ベースプレートに対してマーカー本体を起立させることができ、マーカー本体までの距離があったり、あるいはグリーンに起伏があったとしてもマーカー本体を視認しやすくなり、また、構造もシンプルで様々な外力を受けても破損しにくい。
【図面の簡単な説明】
【００１２】
【図１】本発明の実施の形態のゴルフ用マーカーセットに使用するベースマーカーの分解斜視図。
【図２】図１のベースマーカーの一部切り欠き正面断面図。
【図３】（ａ）は実施の形態のゴルフ用マーカーセットに使用するスタンドマーカーの斜視図、（ｂ）は一部切り欠き正面断面図。
【図４】同じ実施の形態のゴルフ用マーカーセットの使用状態の一例を説明する説明図。
【図５】（ａ）はゴルフ用マーカーセットに使用するマーカーホルダーの側面図、（ｂ）は同じマーカーホルダーにベースマーカーとスタンドマーカーを磁力で吸着させた状態の説明図。
【図６】図４の使用状態のゴルフ用マーカーセットをプレーヤーがスタンドマーカーを指でつまんでいる状態の説明図。
【図７】他の実施の形態のゴルフ用マーカーセットの使用状態の一例を説明する説明図。
【発明を実施するための形態】
【００１３】
以下、本発明の具体的な実施の形態としてゴルフ用マーカーセットについて図面に基づいて説明する。
図１及び図２はゴルフ用マーカーセットを構成するベースプレートとしてのベースマーカー１である。ベースマーカー１は鉄−ニッケル合金製の円板形状の被吸着部としてのベース基板２を備えている。収容部としてのベース基板２の上面２ａ及び底面２ｂは平面状に構成され、外周には切れ目なく均等な高さで上方に盛り上がった堤部３が形成されている。ベース基板２の上面２ａ全周は堤部３に包囲されている。ベース基板２は直径３５ｍｍ、上面２ａ及び底面２ｂ間の厚み１．７ｍｍ、上面２ａから堤部３の上端までの高さ０．３ｍｍとされている。ベース基板２の上面２ａ中央には凹部４が形成されている。凹部４は直径４ｍｍ、深さ０．８ｍｍの円筒体の内周面形状に構成されている。凹部４内には磁石５が埋設状に収容されている。フェライト磁石である磁石５は直径３．８ｍｍ、高さ０．８ｍｍの円筒体形状とされている。磁石５は自身の磁力によって凹部４内に固定されている。磁石５が凹部４内に収容（埋設）されている状態で磁石５の上面はベース基板２の上面２ａと面一とされる。
ベース基板２の上面２ａには表面に装飾用の文字が印刷されたカバー部材としてのシール６が貼着されている。本実施の形態では装飾用の文字は白色背景に赤色で表示するものとする。シール６はちょうど堤部３に包囲されたベース基板２の上面２ａの領域に対応した円形の厚紙によって構成されている。本実施の形態ではシール６の厚みは０．１２ｍｍとされている。このようなベースマーカー１は１０ｇ程度の重さとされている。
【００１４】
図３（ａ）及び（ｂ）はゴルフ用マーカーセットを構成するマーカー本体としてのスタンドマーカー１０である。スタンドマーカー１０は鉄−ニッケル合金製の円板形状のマーカー基板１１を備えている。マーカー基板１１の表面１１ａ及び裏面１１ｂは平面状に構成され、外周には切れ目なく均等な高さで表裏に突出するフランジ部１２が形成されている。マーカー基板１１の表面１１ａ及び裏面１１ｂはそれぞれフランジ部１２に包囲されている。マーカー基板１１は直径３５ｍｍ、表面１１ａ及び裏面１１ｂ間の厚み１０ｍｍ、フランジ部１２を含む端部幅２ｍｍとされている。図３（ｂ）に示すように、マーカー基板１１のフランジ部１２を含む外周１１ｃの周方向と直交する直線方向ｐ１は表面１１ａ及び裏面１１ｂの面方向ｐ２に対して直交する。
フランジ部１２に包囲されたマーカー基板１１の表面１１ａ及び裏面１１ｂにはそれぞれ装飾プレート１３が貼着されている。装飾プレート１３は紫外線硬化型レジン（ＵＶレジン）が硬化されて構成された平たい丘形状とされている。装飾プレート１３内には表面に装飾用の文字が印刷された装飾面としてのシール１４が封入されている。装飾用の文字は上記とは異なり黄色背景に青色で表示するものとする。表裏に装飾プレート１３を貼着した状態でスタンドマーカー１０は装飾プレート１３間の厚み（幅）はフランジ部１２の幅よりも大きく、装飾プレート１３はマーカー基板１１からはみ出している。
【００１５】
図５はゴルフ用マーカーセットのための台座となる部材であるマーカーホルダー１５である。マーカーホルダー１５は鉄−ニッケル合金製の楕円円板形状のホルダー本体１６を備えている。ホルダー本体１６の上部にはホルダー本体１６と一体的に形成されたクリップ１７が形成されている。ホルダー本体１６の前面には装飾用の文字が印刷されたシール１８が貼着されている。装飾用の文字は上記のベースマーカー１とスタンドマーカー１０のいずれの文字とも異なる態様とする。ホルダー本体１６の前面であってシール１８に覆われた下側には磁石１９が埋設されている。磁石１９はホルダー本体１６に形成された図示しない凹部内に収容されている。
【００１６】
このような構成のゴルフ用マーカーセットは次のように使用される。
まず、図６に示すように、ユーザー（プレーヤー）はマーカーホルダー１５を帽子やポケットの縁にクリップ１７を使用してシール１８側が外に露出するように固定する。そして、ホルダー本体１６の前面にベースマーカー１（のベース基板２）とスタンドマーカー１０（のマーカー基板１１）をそれぞれ磁力によって吸着させておく。そして、プレーヤーはゴルフプレー中に、グリーン上でボールを一旦回収してボールのあった位置をマークする際にマーカーホルダー１５からベースマーカー１とスタンドマーカー１０を取り外す。取り外したベースマーカー１に対してスタンドマーカー１０の外周１１ｃを図４のように磁石５の位置に当接させる。スタンドマーカー１０はベースマーカー１の上面２ａ中央のシール６を介在させた状態で磁石５に吸着される。このとき、スタンドマーカー１０を若干斜めにベースマーカー１の上面２ａに接近させたとしても磁石５の磁場の働きによって外周１１ｃは図４のようにベースマーカー１の上面２ａに接地する。また、外周１１ｃは表面１１ａ及び裏面１１ｂに対して直交する方向が直線状であるため、接地状態でがたつくことなくスタンドマーカー１０はベースマーカー１の上面２ａの面方向に対して直交するように起立することとなる。本実施の形態の磁石５の磁力（吸着力）はベースマーカー１全体の重量を吸着させたスタンドマーカー１０で吊り下げて十分保持できる磁力とされている。
プレーヤーはこのようにベースマーカー１にスタンドマーカー１０を磁力で吸着させた状態で図６のようにスタンドマーカー１０を指でつまんでグリーン上にベースマーカー１を寝かせてスタンドマーカー１０が起立するように設置する。このように持ってもベースマーカー１が落下してしまうことはない。
また、プレーヤーの好みに応じてこのようにスタンドマーカー１０を立てずにベースマーカー１単独でマーカーとして使用したり、スタンドマーカー１０を単独で寝かせて使用したり、ベースマーカー１の上面２ａにスタンドマーカー１０を寝かせた状態で使用したりすることも可能である。
【００１７】
上記のように構成することにより本実施の形態のゴルフ用マーカーセットでは次のような効果が奏されることとなる。
（１）スタンドマーカー１０は高さがあるため、グリーン上でいわゆるライン取りをする際にスタンドマーカー１０まで距離があってもあるいはグリーンに起伏があったとしても、グリーン上のスタンドマーカー１０が目視しやすくなる。また、本人以外の他のプレーヤーも同様に目視しやすくなる。
（２）スタンドマーカー１０とベースマーカー１はいずれも外見は単純な２つの円板であるから、誤ってプレーヤーが踏んでしまっても構造的に壊れにくい。
（３）ベースマーカー１上に起立させたスタンドマーカー１０は固定的に連結されているわけではないので、自由な方向に表面１１ａ及び裏面１１ｂを向けることができる。
（４）磁石５はベースマーカー１の上方にあり、かつベースマーカー１は強磁性体から構成されているため底面２ｂから磁束が漏れにくく、グリーン上の砂鉄成分が底面２ｂにくっつきにくい。
（５）ベースマーカー１上にスタンドマーカー１０を起立させたり、あるいは寝た状態のマーカーとしてベースマーカー１やスタンドマーカー１０を使用することができ、ベースマーカー１とスタンドマーカー１０の装飾も違うため、プレーヤーの好みに応じたいろいろな使い方ができる。また、吸着状態のベースマーカー１とスタンドマーカー１０は人の手の力で容易に磁力に抗して切り離すことができるため、ベースマーカー１とスタンドマーカー１０をそれぞれ単独で寝かせた状態の従来のマーカーとして使用することもできる。
（６）ベースマーカー１上にスタンドマーカー１０が吸着されている場合には、スタンドマーカー１０をつまんでベースマーカー１も一緒に支持することができるため、ボールのあった位置にマーカーを置く際に、先にベースマーカー１を置いてからその上にスタンドマーカー１０を置くというようなアクションをせずに、片手で置くだけのワンアクションで操作することができる。
【００１８】
上記の記載では、本発明の原理を説明するために例示的な態様を参照して本発明を記載していることに留意すべきであり、上記のような態様に限定されるものではない。例えば、本発明は、次のように変更して具体化することも可能である。
・上記実施の形態ではベースマーカー１上のカバー部材としてシール６を使用したが、シール６はなくともよい。またカバー部材としてスタンドマーカー１０に磁力が十分及ぶのであればシール以外の例えば上記の装飾プレート１３のような部材を貼着するようにしてもよい。
・上記ではマーカー本体として円板状のスタンドマーカー１０を用いたが、このような円板形状でなくともよい。例えば、図７に示すように、被吸着部として強磁性体製の吸着体２０（例えば、磁石や鉄合金製のコマ、ボルト等）に旗２１を取り付けた旗竿２２を固定するようにしてもよい。
・ベースマーカー１やスタンドマーカー１０の形状やサイズや構造は上記に限定されるものではない。携帯を考慮するとベースマーカー１もスタンドマーカー１０も５〜１５ｇ程度の重さに収まることがよい。
・上記ではベースプレートとしてベースマーカー１自体が強磁性体であったが、少なくとも磁石５の磁束が下側に漏れるのを防止できればよいのであるから、別体で磁石５を収容した容器を構成し、この周囲をカバーするようにしてベースプレートを構成するようにしてもよい。
・上記実施の形態では磁石５はフェライト磁石を使用したが、ネオジム磁石を使用するようにしてもよい。
・その他、本発明の趣旨を逸脱しない態様で実施することは自由である。
【符号の説明】
【００１９】
１…ベースプレートとしてのベースマーカー、２…被吸着部としてのベース基板、５…磁石、１０…マーカー本体としてのスタンドマーカー。
【図１】
0006641173.tif 000002
【図２】
0006641173.tif 000003
【図３】
0006641173.tif 000004
【図４】
0006641173.tif 000005
【図５】
0006641173.tif 000006
【図６】
0006641173.tif 000007
【図７】
0006641173.tif 000008